(57)【要約】      （修正有）【課題】解像度を調整可能なマウスを提供する。【解決手段】常時にカーソルの移動制御の機能を実行するマウスであって、該マウス１０は調整ユニット１００と、処理装置１１０と、センサーユニット１２０とを有する。調整ユニット１００は選択的に調整信号を処理装置１１０へ生成する。処理装置１１０は調整信号を受信して対応する制御信号を生成する。センサーユニット１２０は制御信号を受信し、且つ制御信号とマウス１０の移動経路に基づいて対応する変位信号を処理装置１１０へ生成し、該変位信号に基づいてマウスにカーソルの移動制御機能を実行させる。【選択図】図１
0003191942.tif 000002
【実用新案登録請求の範囲】
【請求項１】
選択的に調整信号を生成する調整ユニットと、
前記調整ユニットと電気接続し、前記調整信号を受信して対応する制御信号を生成する処理装置と、
前記処理装置と電気接続し、前記制御信号を受信して前記マウスの移動経路を検知し、前記制御信号に基づいて前記マウスの移動経路に対応して変位信号を前記処理装置へ生成し、前記マウスに前記変位信号に基づいて前記カーソルの移動制御の機能を実行させるセンサーユニットと、を備え、
カーソルの移動制御の機能を常時実行する、解像度の調整可能なマウス。
【請求項２】
前記調整ユニットは、ボタンまたはダイヤルであることを特徴とする、請求項１に記載のマウス。
【請求項３】
前記センサーユニットは初期変位信号を有し、
前記マウスが前記初期変位信号に基づいて、前記カーソルの移動制御の機能を常時実行し、
前記センサーユニットは前記制御信号に基づいて、前記マウスの移動経路に応じて更新変位信号を生成し、
前記初期変位信号を前記更新変位信号に替えることを特徴とする、請求項１に記載のマウス。
【請求項４】
前記処理装置と電気接続され、前記処理装置が受信した前記変位信号の数値を表示する表示ユニットをさらに備えたことを特徴とする、請求項１に記載のマウス。
【請求項５】
選択的に調整信号を生成する調整ユニットと、
前記マウスの移動経路を検知し、前記マウスの移動経路に基づいて対応する初期変位信号を生成するセンサーユニットと、
前記調整ユニット及び前記センサーユニットと電気接続し、前記調整信号、前記初期変位信号とマウスの移動経路を受信し、前記調整信号に基づいてマウスの移動経路に対応する前記初期変位信号を調整?変更し、且つ更新変位信号を生成して前記更新変位信号に基づいて前記カーソルの移動制御の機能を前記マウスに実行させる処理装置と、を備え、
カーソルの移動制御の機能を常時実行する、解像度の調整可能なマウス。
【請求項６】
前記調整ユニットは、ボタンまたはダイヤルであることを特徴とする、請求項５に記載のマウス。
【請求項７】
前記処理装置と電気接続され、前記更新変位信号の数値を表示する表示ユニットをさらに備えたことを特徴とする、請求項５に記載のマウス。
【考案の詳細な説明】
【技術分野】
【０００１】
本考案は、位置指示装置に関する。特に、解像度を調整可能なマウスに関連する。
【背景技術】
【０００２】
現在のコンピュータシステムにおいて、主な入力装置は依然としてキーボード及びマウスである。コンピュータシステムにおけるウィンドウインターフェイスの普及、及びゲーム、ビデオ・オーディオ、またはインターネットブラウザなどの様々な需要によって、キーボードよりもマウスの使用の重要性が上回っている。従って、マウスの構造と機能もいろいろと発展してきた。
【０００３】
そのうち、マウスの構造については、初期のホイールマウスから、現在主流となっている光学式マウスやより進んだレーザーマウスへと発展してきている。また、コンピュータとの接続方式についても有線接続から無線接続へと発展し、他にも色々な付加機能が設計されている。
【０００４】
ここ数年、コンピュータ技術の全体の展開に伴い、モニター装置は早期のブラウン管ディスプレイから現在の液晶ディスプレイへと発展している。また、モニターの解像度及び大きさも大幅に向上している。マウスの解像度はモニターの解像度と密接に関係しており、マウスのモニターにおけるカーソル移動操作を制御する性能の表現にもさらに影響を与えている。従って、モニター装置の進歩に伴い、マウスの解像度に対する要求も高くなっている。
【０００５】
モニターの解像度及び大きさはピクセル数で表示できる。マウスの解像度はマウスを一定の距離内で移動させた信号数（dot per inch, DPI）に対応し、マウス自体を一定の距離内で移動した際にカーソルがモニター上でそれに応じて移動するピクセル数が連結関係となる。
【０００６】
上述のように、モニターの解像度及び大きさが大幅に向上することに伴い、マウスの解像度も高くなってくる。早期のホイールマウスより、次第に現在主流となっている光学式マウス、またはより高い解像度のレーザーマウスへと発展している。
【先行技術文献】
【特許文献】
【０００７】
【特許文献１】台湾特許第Ｉ３５３５４２号
【特許文献２】台湾実用新案登録第Ｍ３７２４９８号
【０００８】
しかしながら、マウスの解像度は全く変わらない定数ではない。実際、マウスの解像度はユーザーの異なる使用環境によって異なる需要がある。例えばゲームや製図などで精密な指示が要る場合、より低い解像度が必要となる。例えばウェブ閲覧などの他の使用の場合、より速くカーソルを移動させる必要があるので、より高い解像度が必要である。
【０００９】
現在、マウスの解像度を設定したい場合、オベレーティングシステムにおける制御プログラムまたは応用プログラムによって調整を行わなければならない。このような調整方法は、ユーザーがオベレーティングシステムにおける所定のソフトウェアプログラムを起動しなければならないので不便であって、またこの調整結果がユーザーの需要を満たさない場合、調整を繰り返して行わなければならない。さらに、多くの使用状況において、ユーザーがこの様な従来の調整方法で解像度の調整を行うことは難しい。例として、ゲームをやっている場合、ユーザーが繰り返し、ゲームを一時停止してマウスの解像度を調整するのは不便であり、困難である。
【考案の概要】
【考案が解決しようとする課題】
【００１０】
このような問題点に鑑み、本考案は、解像度の調整機能を有するマウスに関し、従来のマウスにおける解像度の調整方法の困難さ及び不便さなどの問題を解決する。
【課題を解決するための手段】
【００１１】
本考案は、解像度を調整可能なマウスに関する。該マウスは常時にカーソルの移動制御の機能を実行し、マウスは調整ユニット、処理装置、及びセンサーユニットを含む。調整ユニットは調整信号を選択的に生成する。処理装置は該調整信号を受信して対応する制御信号を生成する。センサーユニットは該制御信号を受信し、該制御信号及びマウスの移動経路に基づいて対応する変位信号を処理装置へ生成することによって、該変位信号に基づいてマウスにカーソルの移動制御の機能を実行する。
【００１２】
本考案は、処理装置が受信した変位信号の数値を表示する表示ユニットをさらに含む。
【００１３】
本考案はさらに解像度を調整可能な機能を備えるマウスに関する。該マウスは常時、カーソルの移動制御の機能を実行し、マウスには調整ユニット、処理装置、及びセンサーユニットを含む。調整ユニットは調整信号を選択的に生成する。センサーユニットはマウスの移動経路に基づいて対応する初期変位信号を生成する。処理装置は調整信号及び変位信号を受信し、該調整信号の内容に基づいて該初期変位信号を調整・変更して更新変位信号を生成し、マウスにカーソルの移動制御の機能を実行させる。
【００１４】
本考案は、処理装置が受信した変位信号の数値を表示する表示ユニットをさらに含む。
【考案の効果】
【００１５】
本考案の効能は、ユーザーが該需要に応じて調整ユニットを通じてマウスの解像度を直接に調整することができ、特定のソフトウェアによって設定する必要がないことにある。本考案は、より直接、且つ迅速であって、ある使用条件環境でユーザーが特定のソフトウェアによってマウスの解像度を調整できない、または扱い難しいような状況を避けられる。
【図面の簡単な説明】
【００１６】
【図１】本考案にかかる第一形態のマウスを示す図である。
【図２】本考案にかかる第二形態のマウスを示す図である。
【図３】本考案にかかる第一形態のマウスにおける第１実施例の調整方法を示すステップのフローチャートである。
【図４】本考案にかかる第一形態のマウスにおける第２実施例の調整方法を示すステップのフローチャートである。
【図５】本考案にかかる第一形態のマウスにおける第３実施例の調整方法を示すステップのフローチャートである。
【図６】本考案にかかる第二形態のマウスにおける第１実施例の調整方法を示すステップのフローチャートである。
【図７】本考案にかかる第二形態のマウスにおける第２実施例の調整方法を示すステップのフローチャートである。
【考案を実施するための形態】
【００１７】
本考案の特徴、実施例及び効果について、本考案の最良の形態として図面を参照して詳細に説明する。
【００１８】
＜実施例＞
図１において、本考案に係る解像度の調整可能な機能を備えるマウス１０の第一形態を示す。図３において、本考案に係るマウス１０の解像度の調整方法のフローチャートを示す。これは本考案に係るマウス１０の第１実施例を示す図である。
【００１９】
本考案に係るマウス１０は、常時カーソルの移動制御の機能を実行する。前記マウス１０は調整ユニット１００と、処理装置１１０と、センサーユニット１２０とを有する。前記処理装置１１０は、それぞれ調整ユニット１００と、センサーユニット１２０とに電気接続されている。調整ユニット１００は調整信号を処理装置１１０へ選択的に生成し、処理装置１１０は調整信号を受信して対応する制御信号をセンサーユニット１２０へ生成する。センサーユニット１２０は該制御信号を受信し、且つ該制御信号をマウス１０の移動経路に対応させることで変位信号を処理装置１１０へ生成し、マウス１０に該変位信号に基づいてカーソルの移動制御の機能を実行させる。
【００２０】
注目すべき点は、本実施例における調整ユニット１００の様式がボタンであってもよい。また、本実施例における調整ユニット１００の様式がダイヤルであってもよい。上述の調整ユニット１００の様式は本考案に開示された実施形態に限られない。当該技術分野に熟知した技術者が、タッチパネルを本実施の調整ユニット１００として用いてもよいので、実施形態はこの限りではない。
【００２１】
図１及び図３を同時に参照する。図３に示すステップ３００において、ユーザーは調整ユニット１００を通じて調整信号を選択的に生成し、該調整信号を処理装置１１０へ伝送する。本実施例において、ボタンを押すことによってユーザーが調整ユニット１００を通じて調整信号を選択的に生成してもよい。また本実施例において、ダイヤルの回転によってユーザーが調整ユニット１００を通じて調整信号を選択的に生成してもよい。或いは、本実施例においてユーザーがタッチパネルを触ることによって、調整ユニット１００を通じて調整信号を選択的に生成してもよい。
【００２２】
図３に示すステップ３０２において、調整信号は処理装置１１０を触発し、処理装置が対応する制御信号を処理装置１１０に生成させて、制御信号をセンサーユニット１２０へ伝送する。注目すべきは、本実施例における処理装置１１０が応じる制御信号を生成するステップについて、処理装置１１０の内部にあるファームウェアにより実行する。
【００２３】
図３に示すステップ３０４において、センサーユニット１２０がマウス１０の移動経路を検知して制御信号をマウス１０の移動経路に対応させることで変位信号を生成する。センサーユニット１２０は該変位信号を処理装置１１０へ伝送し、マウス１０に変位信号に基づいてカーソルの移動制御の機能を実行させる。
【００２４】
注目すべきは、本実施例に係るセンサーユニット１２０が変位信号を生成するステップにおいて、調整ユニット１００によりセンサーユニット１２０の生成した変位信号の内容が直接決定される。例えばユーザーは、直接調整ユニット１００を通じて変位信号の内容を選択的に調整または制御する。ユーザーは変位信号の内容を、調整ユニット１００の調整信号によって生成された対応する制御信号のみで決定する。例えば、ユーザーはボタンを直接押す、またはダイヤルを回転する方式で変位信号の内容を決定する。または、本実施例に係るセンサーユニット１２０が変位信号を生成するステップにおいて、変位信号の内容を決定する方法は、センサーユニット１２０が更にマウス１０の移動経路によってセンサーユニット１２０の生成した変位信号の内容を決定するのであってもよい。例えば、調整ユニット１００を通じて調整信号を選択的に生成し、対応する制御信号を処理装置１１０に生成させる場合、ユーザーはさらにマウスを移動する実行によってセンサーユニット１２０にマウス１０の移動経路を検知させ、センサーユニット１２０が制御信号をマウス１０の移動経路に対応させることで変位信号の内容を決定する。例えば、ユーザーが調整ユニットを触発した後、マウス１０の移動経路の長さとマウス１０の移動方向とによって変位信号の内容を決定する。
【００２５】
本考案に係る解像度の調整可能な機能を備えるマウスである第一形態のマウス１０を示す図１、及び本考案に係るマウス１０の解像度の調整方法のフローチャートを示す図４を参照する。これは本考案に係るマウス１０の第２実施例を示す図である。
【００２６】
本考案に係るマウス１０はカーソルの移動制御の機能を常時実行する。前記マウス１０は調整ユニット１００と、処理装置１１０と、センサーユニット１２０とを有する。前記処理装置１１０はそれぞれ、調整ユニット１００及びセンサーユニット１２０と電気接続されている。センサーユニット１２０はマウス１０の移動経路を検知し、マウス１０が一定の移動距離内で検知した回数に基づいて初期変位信号を生成する。調整ユニット１００は調整信号を処理装置１１０へ選択的に生成し、処理装置１１０が調整信号を受信して対応する制御信号をセンサーユニット１２０へ生成する。センサーユニット１２０が制御信号を受信して該制御信号をマウス１０の移動経路に対応させることで更新変位信号を処理装置１１０へ生成し、該更新変位信号に基づいてマウス１０にカーソルの移動制御機能を実行させる。
【００２７】
注目すべき点は、本実施例に係る調整ユニット１００の様式はボタンであってもよい。または、本実施例に係る調整ユニット１００の様式はダイヤルであってもよい。上述の調整ユニット１００の様式は本考案に開示された実施形態に限られない。当該技術分野に熟知した技術者は、タッチパネルを本実施の調整ユニット１００として用いてもよく、実施形態はこれに限られない。
【００２８】
図１及び図４を同時に参照する。本実施例に係るマウス１０の解像度を調整する方法について説明する。図４に示すステップ４０１において、マウス１０が一定の移動距離内で検知した回数に基づいて、センサーユニット１２０が初期変位信号を生成する。マウス１０は該初期変位信号に基づいてカーソルの移動制御機能を常時実行する。
【００２９】
図４に示すステップ４００の内容は前述した実施例におけるステップ３００の内容に近い。図４に示すステップ４０２の内容は前述した実施例におけるステップ３０２の内容に近い。
【００３０】
図４に示すステップ４０４において、センサーユニット１２０は制御信号をマウス１０の移動経路に対応させることで更新変位信号を生成する。
【００３１】
注目すべきは、本実施例にかかるセンサーユニット１２０が更新変位信号を生成するステップにおいて、調整ユニット１００により、センサーユニット１２０の生成した更新変位信号の内容が直接決定される。例えば、ユーザーは直接、調整ユニット１００を通じて更新変位信号の内容を選択的に調整または制御する。ユーザーは調整ユニット１００の調整信号によって生成された、対応する制御信号のみで初期変位信号の内容の増減または変化を決定し、更新変位信号を生成する。例えば、ユーザーは直接ボタンを押す、またはダイヤルを回転する方式で初期変位信号の内容の増減または変化を決定する。或いは、更新変位信号を生成するステップにおいて、本実施例にかかるセンサーユニット１２０が更新変位信号の内容を決定する方法はセンサーユニット１２０が更にマウス１０の移動経路によってセンサーユニット１２０の生成した更新変位信号の内容を決定する方法であってもよい。例えば、ユーザーが調整ユニット１００を通じて調整信号を選択的に生成して、対応する制御信号を処理装置１１０に生成させた場合、ユーザーは更にマウスを移動する実行によってセンサーユニット１２０にマウス１０の移動経路を検知させ、センサーユニット１２０がマウス１０の移動経路に基づいて初期変位信号の内容の増減または変化を決定して更新変位信号を生成する。例えば、ユーザーが調整ユニットを触発した後、マウス１０の移動経路の長さと移動方向によって更新変位信号の内容を決定する。
【００３２】
図４に示すステップ４０５において、センサーユニット１２０は初期変位信号を該更新変位信号に替え、且つ該更新変位信号を処理装置１１０へ伝送して、マウス１０に該更新変位信号に基づいてカーソルの移動制御機能を実行させる。
【００３３】
本考案に係る解像度の調整可能な機能を備えるマウスである第一形態のマウス１０を示す図１、及び本考案に係るマウス１０の解像度の調整方法のフローチャートを示す図５を参照する。これは本考案に係るマウス１０の第３実施例を示す図である。
【００３４】
本考案に係るマウス１０はカーソルの移動制御の機能を常時実行する。前記マウス１０は調整ユニット１００と、処理装置１１０と、センサーユニット１２０とを有する。前記処理装置１１０は、それぞれ調整ユニット１００及びセンサーユニット１２０と電気接続されている。調整ユニット１００は選択的に調整信号を処理装置１１０へ生成する。センサーユニット１２０はマウス１０の移動経路を検知して、マウス１０の移動経路に基づいて対応する初期変位信号を生成する。処理装置１１０は調整信号、初期変位信号及びマウス１０の移動経路を受信する。調整信号をマウス１０の移動経路に対応させることで該初期変位信号を調整?変更し、マウス１０に該更新変位信号に基づいてカーソルの移動制御の機能を実行させる。
【００３５】
注意を要することは、本実施例掲載の調整ユニット１００の様式はボタンであってもよい。または、本実施例掲載の調整ユニット１００の様式はダイヤルであってもよい。前述の調整ユニット１００の様式は本考案に開示された実施形態限りではない。当該技術分野に熟知した技術者が、本実施の調整ユニット１００としてタッチパネルを用いてもよく、実施形態はこれに限られない。
【００３６】
同時に、図１及び図５を参照する。図５に示すステップ５００において、センサーユニット１２０がマウス１０の移動経路を検知し、マウス１０が一定の移動距離内で検知した回数に基づいて初期変位信号を生成し、且つマウス１０の移動経路と初期変位信号を処理装置１１０へ伝送する。
【００３７】
図５に示すステップ５０２において、調整ユニット１００は選択的に調整信号を生成し、該調整信号を処理装置１１０へ伝送する。
【００３８】
図５に示すステップ５０４において、処理装置１１０は調整信号と、初期変位信号と、マウス１０との移動経路を受信し、調整信号をマウス１０の移動経路に対応させることで該初期変位信号を調整?変更して更新変位信号を生成し、マウス１０に該更新変位信号に基づいてカーソルの移動制御の機能を実行させる。
【００３９】
注目すべきは、処理装置１１０の内部にあるファームウェアにより、本実施例における処理装置１１０が対応する更新変位信号を生成するステップが実行される。処理装置１１０は調整信号をマウス１０の移動経路に対応させる内容で初期変位信号の数値を換算する。初期変位信号の数値を調整、変更した結果が更新変位信号となる。処理装置が換算を行なう方式は単なる増減または比率の調整であってもよい。
【００４０】
注目すべきは、本実施例に係る処理装置１１０が対応する更新変位信号を生成するステップにおいて、更新変位信号の内容を決定する方法は調整信号の内容によって、処理装置１１０の生成した更新変位信号の内容が直接決定される。例えば、ユーザーは直接、調整ユニット１００を通じて更新変位信号の内容を選択的に調整または制御する。ユーザーは調整ユニット１００の生成した調整信号によって初期変位信号の内容の増減または変更を決定して更新変位信号を生成する。例えば、ユーザーは直接ボタンを押す、またはダイヤルを回転する方式で初期変位信号の内容の増減または変更を決定する。あるいは、本実施例に係る処理装置１１０が更新変位信号を生成するステップにおいて、更新変位信号の内容を決定する方法は、処理装置１１０が更にマウス１０の移動経路によって更新変位信号の内容を決定する方法であってもよい。例えば、ユーザーが調整ユニット１００を通じて選択的に調整信号を生成した場合、ユーザーはさらにマウスを移動する実行によって、センサーユニット１２０にマウス１０の移動経路を検知させ、センサーユニット１２０がマウス１０の移動経路と初期変位信号とを処理装置１１０へ伝送する。処理装置１１０は調整信号、初期変位信号とマウス１０の移動経路に対応させるものに基づいて初期変位信号の内容の調整?変更を決定する。例えば、ユーザーはこの際にマウス１０の移動経路の長さと移動方向とによって更新変位信号の内容を決定する。
【００４１】
本考案に係る解像度の調整可能な機能を備えるマウスである第二形態のマウス２０を示す図２、及び本考案に係るマウス２０の解像度の調整方法のフローチャートを示す図６を参照する。これは本考案に係るマウス２０の第１実施例を示す図である。
【００４２】
本考案に係るマウス２０はカーソルの移動制御の機能を常時実行する。前記マウス２０は調整ユニット１００と、処理装置１１０と、センサーユニット１２０と、表示ユニット１３０とを有する。前記処理装置１１０は、それぞれ調整ユニット１００と、センサーユニット１２０と、表示ユニット１３０とに電気接続されている。調整ユニット１００は選択的に調整信号を処理装置１１０へ生成し、処理装置１１０は調整信号を受信して対応する制御信号をセンサーユニット１２０へ生成する。センサーユニット１２０は該制御信号を受信し、該制御信号とマウス２０の移動経路に基づいて対応する変位信号を処理装置１１０へ生成し、マウス２０に該変位信号に基づいてカーソルの移動制御の機能を実行させる。また、表示ユニット１３０は処理装置１１０の受信した変位信号の数値を表示する。
【００４３】
注目すべき点は、本実施例掲載の調整ユニット１００の様式がボタンであってもよい。または、本実施例掲載の調整ユニット１００の様式はダイヤルであってもよい。上述の調整ユニット１００の様式は本考案に開示された実施形態限りではない。当該技術分野に熟知した技術者が、調整ユニット１００としてタッチパネルを本実施の用いてもよいので、実施形態はこの限りではない。
【００４４】
また、本実施例にかかる表示ユニット１３０は液晶ディスプレイであってもよく、目の前の変位信号の数値を直接に表示する。或いは、本実施例にかかる表示ユニット１３０は発光ダイオードであってもよく、目の前の変位信号の数値を直接に表示する。前述の表示ユニット１３０は本考案に開示された実施形態限りではない。
【００４５】
図２及び図６を同時に参照する。図６に示すステップ６００の内容は前述した実施例におけるステップ３００、４００の内容に近い。図６に示すステップ６０２の内容は前述した実施例におけるステップ３０２、４０２の内容に近い。図６に示すステップ６０４の内容は前述した実施例におけるステップ３０４の内容に近い。相違は、図６に示すステップ６０６において、表示ユニット１３０が変位信号の数値を表示することにある。
【００４６】
本考案に係る、解像度の調整可能な機能を備えるマウスである第二形態のマウス２０を示す図２、及び本考案に係るマウス２０の解像度の調整方法のフローチャートを示す図７を参照する。これは本考案にかかるマウス２０の第２実施例を示す図である。
【００４７】
本考案に係るマウス２０は常時にカーソルの移動制御の機能を実行する。前記マウス２０は調整ユニット１００と、処理装置１１０と、センサーユニット１２０と、表示ユニット１３０とを有する。前記処理装置１１０は、それぞれ調整ユニット１００と、センサーユニット１２０と、表示ユニット１３０とに電気接続されている。調整ユニット１００は調整信号を処理装置１１０へ選択的に生成する。センサーユニット１２０はマウス２０の移動経路に基づいて対応する初期変位信号を生成する。処理装置１１０は調整信号と変位信号とを受信し、該調整信号に基づいて該初期変位信号を調整・変更し、更新変位信号を生成して、変位信号に基づいてカーソルの移動制御の機能をマウス２０に実行させる。表示ユニット１３０は処理装置１１０の受信した更新変位信号の数値を表示する。
【００４８】
注目すべきは、本実施例掲載の調整ユニット１００の様式がボタンであってもよい。または、本実施例掲載の調整ユニット１００の様式がダイヤルであってもよい。上述の調整ユニット１００の様式は本考案に開示された実施形態限りではない。当該技術分野に熟知した技術者が、タッチパネルを本実施の調整ユニット１００として用いてもよく、この限りではない。
【００４９】
また、本実施例にかかる表示ユニット１３０は、目の前の変位信号の数値を直接表示する液晶ディスプレイであってもよい。或いは、本実施例にかかる表示ユニット１３０は、直接に目の前の変位信号の数値を表示する発光ダイオードであってもよい。前述の表示ユニット１３０は本考案に開示された実施形態に限られない。
【００５０】
図２及び図７を同時に参照する。本実施例に係るマウス２０の解像度を調整する方法について、図７に示すステップ７００の内容は前述した実施例におけるステップ５００の内容に近い。図７に示すステップ７０２の内容は前述した実施例におけるステップ５０２の内容に近い。図７に示すステップ７０４の内容は前述した実施例におけるステップ５０４の内容に近い。相違は、図７に示すステップ７０６において、表示ユニット１３０が変位信号の数値を表示することにある。
【００５１】
前述した本考案にかかる解像度を調整可能なマウス、及びマウスの解像度を調整する方法については、通常のマウスを対象とする。ユーザーはマウスの解像度を調整する需要がある場合、マウスにおける調整ユニットを通じてマウスの解像度を直接調整する。それは直接なので便利であるだけでなく、マウスにおける表示ユニットを通じて目の前のマウス解像度の内容を同時に知ることができる。また、多くの応用ソフトウェアが起動される場合、ユーザーに対して従来の方法でマウス解像度の設定を行うのは不便であり、困難である。例えば、ゲームをやっている場合、ユーザーは本考案に係るマウスによって要求される解像度を直接調整することができ、使用効率及び便利性を高める。
【００５２】
本考案に係る実施例を上述のように開示したが、本考案は前記実施例に制限されない。従って、本考案に開示された切換装置を有するマウス及び切換装置については、本考案に開示された実施形態限りではない。係る技術に熟達する者はその要旨を逸脱しない範囲において、記述された形状、構成、特徴及び数量などの修正が可能であることは勿論であって、本考案の技術的範囲は、本明細書における実用新案登録請求の範囲により定義される。
【符号の説明】
【００５３】
１０、２０  …  マウス
１００  …  調整ユニット
１１０  …  処理装置
１２０  …  センサーユニット
１３０  …  表示ユニット
【図１】
0003191942.tif 000003
【図２】
0003191942.tif 000004
【図３】
0003191942.tif 000005
【図４】
0003191942.tif 000006
【図５】
0003191942.tif 000007
【図６】
0003191942.tif 000008
【図７】
0003191942.tif 000009
【手続補正書】
【提出日】平成26年5月23日(2014.5.23)
【手続補正１】
【補正対象書類名】実用新案登録請求の範囲
【補正対象項目名】全文
【補正方法】変更
【補正の内容】
【実用新案登録請求の範囲】
【請求項１】
選択的に調整信号を生成する調整ユニットと、
前記調整ユニットと電気接続し、前記調整信号を受信して対応する制御信号を生成する処理装置と、
前記処理装置と電気接続し、前記制御信号を受信してマウスの移動経路を検知し、前記制御信号に基づいて前記マウスの移動経路に対応して変位信号を前記処理装置へ生成し、前記マウスに前記変位信号に基づいてカーソルの移動制御の機能を実行させるセンサーユニットと、を備え、
前記カーソルの移動制御の機能を常時実行する、解像度の調整可能なマウス。
【請求項２】
前記調整ユニットは、ボタンまたはダイヤルであることを特徴とする、請求項１に記載のマウス。
【請求項３】
前記センサーユニットは初期変位信号を有し、
前記マウスが前記初期変位信号に基づいて、前記カーソルの移動制御の機能を常時実行し、
前記センサーユニットは前記制御信号に基づいて、前記マウスの移動経路に応じて更新変位信号を生成し、
前記初期変位信号を前記更新変位信号に替えることを特徴とする、請求項１に記載のマウス。
【請求項４】
前記処理装置と電気接続され、前記処理装置が受信した前記変位信号の数値を表示する表示ユニットをさらに備えたことを特徴とする、請求項１に記載のマウス。
【請求項５】
選択的に調整信号を生成する調整ユニットと、
マウスの移動経路を検知し、前記マウスの移動経路に基づいて対応する初期変位信号を生成するセンサーユニットと、
前記調整ユニット及び前記センサーユニットと電気接続し、前記調整信号、前記初期変位信号と前記マウスの移動経路を受信し、前記調整信号に基づいて前記マウスの移動経路に対応する前記初期変位信号を調整・変更し、且つ更新変位信号を生成して前記更新変位信号に基づいてカーソルの移動制御の機能を前記マウスに実行させる処理装置と、を備え、
前記カーソルの移動制御の機能を常時実行する、解像度の調整可能なマウス。
【請求項６】
前記調整ユニットは、ボタンまたはダイヤルであることを特徴とする、請求項５に記載のマウス。
【請求項７】
前記処理装置と電気接続され、前記更新変位信号の数値を表示する表示ユニットをさらに備えたことを特徴とする、請求項５に記載のマウス。